(57)【特許請求の範囲】
【請求項１】
複数の明るさセンサが検出する検出結果が示す明るさが予め定められた明るさとなるように前記複数の明るさセンサに紐付けられている照明器具の調光率を制御する照明制御装置であって、
前記複数の明るさセンサのそれぞれに対して定期的に検出結果を問い合わせる問い合わせ部と、
前記問い合わせ部が問い合わせた明るさセンサに紐付けられている照明器具の調光率を当該明るさセンサの検出結果に応じて制御する制御部と、を備え、
前記問い合わせ部は、
前記複数の明るさセンサに優先順位を対応付け、
前記優先順位に従って、前記複数の明るさセンサに検出結果を問い合わせ、
前記複数の明るさセンサに前記優先順位として、前記予め定められた明るさを示す値である目標値と、前記問い合わせ部が前回問い合わせた前記複数の明るさセンサの検出結果が示す明るさの値である前回値との間の差に応じた優先順位を対応付け、
前記差が大きい明るさセンサから優先的に検出結果を問い合わせる
照明制御装置。
【請求項２】
複数の明るさセンサが検出する検出結果が示す明るさが予め定められた明るさとなるように前記複数の明るさセンサに紐付けられている照明器具の調光率を制御する照明制御装置であって、
前記複数の明るさセンサのそれぞれに対して定期的に検出結果を問い合わせる問い合わせ部と、
前記問い合わせ部が問い合わせた明るさセンサに紐付けられている照明器具の調光率を当該明るさセンサの検出結果に応じて制御する制御部と、を備え、
前記問い合わせ部は、
前記複数の明るさセンサに優先順位を対応付け、
前記優先順位に従って、前記複数の明るさセンサに検出結果を問い合わせ、
前記複数の明るさセンサに前記優先順位として、前記問い合わせ部が前回問い合わせた前記複数の明るさセンサの検出結果が示す明るさの値である前回値と前記予め定められた明るさを示す値である目標値との大小関係に応じた優先順位を対応付け、
前記前回値が前記目標値よりも小さい明るさセンサから優先的に検出結果を問い合わせる
照明制御装置。
【請求項３】
複数の明るさセンサが検出する検出結果が示す明るさが予め定められた明るさとなるように前記複数の明るさセンサに紐付けられている照明器具の調光率を制御する照明制御装置であって、
前記複数の明るさセンサのそれぞれに対して定期的に検出結果を問い合わせる問い合わせ部と、
前記問い合わせ部が問い合わせた明るさセンサに紐付けられている照明器具の調光率を当該明るさセンサの検出結果に応じて制御する制御部と、を備え、
前記問い合わせ部は、
前記複数の明るさセンサに優先順位を対応付け、
前記優先順位に従って、前記複数の明るさセンサに検出結果を問い合わせ、
前記制御部は、前記問い合わせ部が問い合わせた明るさセンサの検出結果が示す明るさが前記予め定められた明るさとなっていない場合、当該明るさセンサに紐付けられている照明器具に調光指示をし、
前記問い合わせ部は、
前記複数の明るさセンサに前記優先順位として、前記照明器具に前記制御部が前回前記調光指示をしたか否かに応じた優先順位を対応付け、
前記制御部が前回前記調光指示をした照明器具に紐付けられている明るさセンサから優先的に検出結果を問い合わせる
照明制御装置。
【請求項４】
複数の明るさセンサが検出する検出結果が示す明るさが予め定められた明るさとなるように前記複数の明るさセンサに紐付けられている照明器具の調光率を制御する照明制御装置であって、
前記複数の明るさセンサのそれぞれに対して定期的に検出結果を問い合わせる問い合わせ部と、
前記問い合わせ部が問い合わせた明るさセンサに紐付けられている照明器具の調光率を当該明るさセンサの検出結果に応じて制御する制御部と、を備え、
前記問い合わせ部は、
前記複数の明るさセンサに優先順位を対応付け、
前記優先順位に従って、前記複数の明るさセンサに検出結果を問い合わせ、
前記照明器具は、前記明るさセンサの検出結果に応じて明るさが制御される明るさ制御モードと、一定の調光率を維持する一定調光モードとの２つのモードを有し、
前記問い合わせ部は、
前記複数の明るさセンサに前記優先順位として、前記照明器具の現在のモードに応じた優先順位を対応付け、
前記明るさ制御モードである照明器具に紐付けられている明るさセンサから優先的に検出結果を問い合わせる
照明制御装置。
【請求項５】
複数の明るさセンサが検出する検出結果が示す明るさが予め定められた明るさとなるように前記複数の明るさセンサに紐付けられている照明器具の調光率を制御する照明制御装置であって、
前記複数の明るさセンサのそれぞれに対して定期的に検出結果を問い合わせる問い合わせ部と、
前記問い合わせ部が問い合わせた明るさセンサに紐付けられている照明器具の調光率を当該明るさセンサの検出結果に応じて制御する制御部と、を備え、
前記問い合わせ部は、
前記複数の明るさセンサに優先順位を対応付け、
前記優先順位に従って、前記複数の明るさセンサに検出結果を問い合わせ、
前記制御部は、さらに、前記照明器具の色温度を制御し、
前記問い合わせ部は、
前記複数の明るさセンサに前記優先順位として、前記照明器具の色温度に応じた優先順位を対応付け、
色温度の低い照明器具に紐付けられている明るさセンサから優先的に検出結果を問い合わせる
照明制御装置。
【請求項６】
請求項１〜５のいずれか１項に記載の照明制御装置と、
前記複数の明るさセンサと、
前記照明器具と、を備える
照明システム。
【発明の詳細な説明】
【技術分野】
【０００１】
本発明は、照明制御装置及び照明システムに関する。
【背景技術】
【０００２】
従来、照明器具の近傍に設置され照明器具と紐付けられている明るさセンサが検出する照明器具の照明領域の明るさが目標とする明るさになるように照明器具の明るさ（調光率）を制御する照明制御装置が知られている。具体的には、照明制御装置は、定期的に明るさセンサに現在の明るさを問い合わせることで現在の明るさが目標とする明るさになっているか否かを判断し、明るさを問い合わせた時に照明器具の調光率を一定量ずつ制御していくことで、照明領域の明るさを目標とする明るさにする。特許文献１には、このような照明制御装置に関する技術が記載されている。
【先行技術文献】
【特許文献】
【０００３】
【特許文献１】特開２００１−１２６８８１号公報
【発明の概要】
【発明が解決しようとする課題】
【０００４】
ところで、１つの照明制御装置が複数（例えば１００個等）の明るさセンサのそれぞれに現在の明るさを問い合わせ、複数の明るさセンサのそれぞれに紐付けられている照明器具の調光率を制御するという状況が考えられる。この場合、照明制御装置は、複数の明るさセンサのそれぞれに対して順番に明るさを問い合わせ、問い合わせた明るさに応じて明るさセンサに紐付けられている照明器具を順番に制御していく。照明制御装置は、複数の明るさセンサに順番に明るさを問い合わせていくため、照明制御装置がある１つの明るさセンサに対して明るさを問い合わせてから次に当該ある１つの明るさセンサに明るさを問い合わせるまでに、時間が掛かってしまう。照明制御装置は、問い合わせた明るさに応じて照明器具の調光率を制御するため、照明器具の調光率を制御するのにも時間が掛かってしまい、目標とする明るさにするまでに時間が掛かってしまう。例えば、明るさを早く変更したい照明器具と早く変更しなくてもよい照明器具がある場合であっても、明るさを早く変更したい照明器具の調光率を制御するのに時間が掛かってしまう。
【０００５】
そこで、本発明は、所望の照明器具の調光率を早く変更できる照明制御装置及び照明システムを提供することを目的とする。
【課題を解決するための手段】
【０００６】
本発明の一態様に係る照明制御装置は、複数の明るさセンサが検出する検出結果が示す明るさが予め定められた明るさとなるように前記複数の明るさセンサに紐付けられている照明器具の調光率を制御する照明制御装置であって、前記複数の明るさセンサのそれぞれに対して定期的に検出結果を問い合わせる問い合わせ部と、前記問い合わせ部が問い合わせた明るさセンサに紐付けられている照明器具の調光率を当該明るさセンサの検出結果に応じて制御する制御部と、を備え、前記問い合わせ部は、前記複数の明るさセンサに優先順位を対応付け、前記優先順位に従って、前記複数の明るさセンサに検出結果を問い合わせる。
【０００７】
本発明の一態様に係る照明システムは、上記の照明制御装置と、前記複数の明るさセンサと、前記照明器具と、を備える。
【発明の効果】
【０００８】
本発明の一態様に係る照明制御装置及び照明システムによれば、所望の照明器具の調光率を早く変更できる。
【図面の簡単な説明】
【０００９】
【図１】図１は、実施の形態に係る照明システムの一例を示す構成図である。
【図２】図２は、実施の形態に係る照明制御装置の動作の一例を示すフローチャートである。
【図３】図３の（ａ）は、実施の形態に係る照明制御装置の動作の第１例を示すフローチャートである。図３の（ｂ）は、第１例における優先順位の対応付け方を説明するための図である。
【図４】図４の（ａ）は、実施の形態に係る照明制御装置の動作の第２例を示すフローチャートである。図４の（ｂ）は、第２例における優先順位の対応付け方を説明するための図である。
【図５】図５の（ａ）は、実施の形態に係る照明制御装置の動作の第３例を示すフローチャートである。図５の（ｂ）は、第３例における優先順位の対応付け方を説明するための図である。
【図６】図６の（ａ）は、実施の形態に係る照明制御装置の動作の第４例を示すフローチャートである。図６の（ｂ）は、実施の形態に係る明るさセンサに紐付けられている照明器具のモード変更の一例を示す図である。図６の（ｃ）は、第４例における優先順位の対応付け方を説明するための図である。
【図７】図７の（ａ）は、実施の形態に係る照明制御装置の動作の第５例を示すフローチャートである。図７の（ｂ）は、第５例における優先順位の対応付け方を説明するための図である。
【発明を実施するための形態】
【００１０】
以下では、本発明の実施の形態に係る照明制御装置及び照明システムについて、図面を用いて詳細に説明する。なお、以下に説明する実施の形態は、いずれも本発明の好ましい一具体例を示すものである。従って、以下の実施の形態で示される数値、構成要素、構成要素の配置及び接続形態、ステップ、ステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
（実施の形態）
以下、実施の形態について、図１から図７を用いて説明する。
【００１３】
［照明システムの構成］
図１は、実施の形態に係る照明システム１の一例を示す構成図である。
【００１４】
照明システム１は、照明制御装置１０、明るさセンサ２０及び照明器具３０を備える。照明システム１では、照明制御装置１０は、複数の明るさセンサ２０及び複数の照明器具３０を制御する。照明制御装置１０は、複数の明るさセンサ２０のそれぞれに、複数の明るさセンサ２０のそれぞれが検出する検出結果が示す明るさを定期的に問い合わせる。また、照明制御装置１０は、複数の照明器具３０の調光率を制御する。ここで、複数の明るさセンサ２０のそれぞれを明るさセンサ２１、２２、２３とする。また、複数の照明器具３０のそれぞれを照明器具３１ａ、３１ｂ、３１ｃ、３２ａ、３２ｂ、３２ｃ、３３ａ、３３ｂ、３３ｃとする。
【００１５】
例えば、複数の明るさセンサ２０及び複数の照明器具３０は、それぞれ異なる部屋に設置される。具体的には、例えば、明るさセンサ２１は部屋Ａに設置され、明るさセンサ２２は部屋Ｂに設置され、明るさセンサ２３は部屋Ｃに設置される。また、照明器具３１ａ、３１ｂ、３１ｃは部屋Ａに設置され、照明器具３２ａ、３２ｂ、３２ｃは部屋Ｂに設置され、照明器具３３ａ、３３ｂ、３３ｃは部屋Ｃに設置される。そして、明るさセンサ２１は、照明器具３１ａ、３１ｂ、３１ｃで照明された照明領域（部屋Ａ）の明るさを検出する。同様に、明るさセンサ２２は、照明器具３２ａ、３２ｂ、３２ｃで照明された照明領域（部屋Ｂ）の明るさを検出し、明るさセンサ２３は、照明器具３３ａ、３３ｂ、３３ｃで照明された照明領域（部屋Ｃ）の明るさを検出する。照明制御装置１０は、明るさセンサ２１が検出した明るさに応じて、照明器具３１ａ、３１ｂ、３１ｃの調光率を制御するために、明るさセンサ２１と照明器具３１ａ、３１ｂ、３１ｃとを紐付けて管理している。同様に、照明制御装置１０は、明るさセンサ２２と照明器具３２ａ、３２ｂ、３２ｃとを紐付け、明るさセンサ２３と照明器具３３ａ、３３ｂ、３３ｃとを紐付けて管理している。図１に示される点線は、このようにして紐付けられた明るさセンサ２０及び照明器具３０を示す。なお、複数の明るさセンサ２０及び複数の照明器具３０は、例えば、１つの部屋内において区切られた所定の領域毎に設置されてもよい。
【００１６】
また、複数の明るさセンサ２０は、少なくとも２つであればよい。つまり、複数の明るさセンサ２０は、２つであってもよく、４つ以上であってもよい。複数の明るさセンサ２０のそれぞれに紐付けられている照明器具３０は、少なくとも１つであればよい。つまり、複数の明るさセンサ２０のそれぞれに紐付けられている照明器具３０は、１つであってもよく、４つ以上であってもよい。
【００１７】
照明制御装置１０は、複数の明るさセンサ２０が検出する検出結果が示す明るさが予め定められた明るさとなるように複数の明るさセンサ２０に紐付けられている照明器具３０の調光率を制御する。予め定められた明るさは、目標とする明るさである。例えば、照明制御装置１０は、スケジュールに応じて照明領域が予め定められた明るさになるように、照明器具３０の調光率を制御する。例えば、スケジュールの変わり目で目標とする明るさが明るく（暗く）なる場合、照明制御装置１０は、照明器具３０の調光率を大きく（小さく）する。なお、予め定められた明るさは、紐付けられている明るさセンサ２０及び照明器具３０毎に予め定められてもよい。例えば、ある時間帯では、目標とする明るさが、部屋Ａでは５００ｌｘ、部屋Ｂでは６００ｌｘというように予め定められてもよい。
【００１８】
照明制御装置１０は、上述した動作を行うために、問い合わせ部１１及び制御部１２を備える。
【００１９】
問い合わせ部１１は、複数の明るさセンサ２０のそれぞれに対して定期的に（所定のタイミング毎に）検出結果を問い合わせる。つまり、問い合わせ部１１は、複数の明るさセンサ２０のそれぞれに対して繰り返し検出結果を問い合わせている。このとき、問い合わせ部１１は、複数の明るさセンサ２０に優先順位を対応付け、優先順位に従って、複数の明るさセンサ２０に検出結果を問い合わせる。ここで、所定のタイミングとは、優先順位に従ったタイミングであり、明るさセンサ２０によって異なるタイミングとなることがある。例えば、明るさセンサ２１が明るさセンサ２２よりも短い間隔で問い合わせられたり、長い間隔で問い合わせられたりする。優先順位については、後述する図３から図７で詳細に説明する。問い合わせ部１１は、例えば通信部（図示せず）を有し、複数の明るさセンサ２０と有線又は無線で通信する。
【００２０】
制御部１２は、問い合わせ部１１が問い合わせた明るさセンサ２０に紐付けられている照明器具３０の調光率を明るさセンサ２０の検出結果に応じて制御する。問い合わせ部１１は、所定のタイミング毎に明るさセンサ２０に検出結果を問い合わせるため、制御部１２は、所定のタイミング毎に照明器具３０の調光率を明るさセンサ２０の検出結果に応じて制御する。例えば、制御部１２は、問い合わせ部１１が明るさセンサ２１に問い合わせた場合、明るさセンサ２１に紐付けられている照明器具３１ａ、３１ｂ、３１ｃの調光率を明るさセンサ２１の検出結果に応じて制御する。そして、問い合わせ部１１は、所定のタイミング後に再度明るさセンサ２１に問い合わせ、制御部１２は、明るさセンサ２１に紐付けられている照明器具３１ａ、３１ｂ、３１ｃの調光率を明るさセンサ２１の検出結果に応じて制御する。制御部１２は、例えば通信部（図示せず）を有し、照明器具３０と有線又は無線で通信する。
【００２１】
また、制御部１２は、問い合わせ部１１が問い合わせたある１つの明るさセンサ２０（例えば明るさセンサ２１）の検出結果が示す明るさが予め定められた明るさとなっていない場合、明るさセンサ２１に紐付けられている照明器具３１ａ、３１ｂ、３１ｃに調光指示をする。言い換えると、制御部１２は、問い合わせ部１１が問い合わせた明るさセンサ２１の検出結果が示す明るさが予め定められた明るさとなっている場合、明るさセンサ２１に紐付けられている照明器具３１ａ、３１ｂ、３１ｃに調光指示をしない。つまり、明るさセンサ２１の検出結果が示す明るさが予め定められた明るさとなるまで、問い合わせ部１１が明るさセンサ２１に検出結果を問い合わせる毎に、制御部１２は、照明器具３１ａ、３１ｂ、３１ｃに調光率を一定量変化させる調光指示をする。そして、明るさセンサ２１の検出結果が示す明るさが予め定められた明るさとなると、問い合わせ部１１が明るさセンサ２１に検出結果を問い合わせても、制御部１２は、照明器具３１ａ、３１ｂ、３１ｃに調光指示をしない。これにより、照明器具３１ａ、３１ｂ、３１ｃの照明領域の明るさを予め定められた明るさにすることができる。
【００２２】
また、制御部１２は、さらに、照明器具３０の色温度を制御する。制御部１２は、例えば、スケジュールに応じて照明器具３０の色温度を予め定められた色温度に制御する。予め定められた色温度は、目標とする色温度である。例えば、スケジュールの変わり目で目標とする色温度が高く（低く）なる場合、制御部１２は、照明器具３０の色温度を高く（低く）する。
【００２３】
明るさセンサ２０は、紐付けられている照明器具３０の照明領域の明るさを検出するセンサである。明るさセンサ２０は、例えば、照明領域が外光の入る領域の場合には、照明器具３０が出力する光と外光とを合わせた明るさを検出する。明るさセンサ２０は、例えば、フォトトランジスタ又はフォトダイオード等によって構成されるセンサである。
【００２４】
照明器具３０は、出力する光の調光及び調色が可能な照明器具である。照明器具３０は、照明器具３０が備える光源の光出力が制御部１２に調整されることで調光率を変化させて調光する。また、照明器具３０は、例えば、青色ＬＥＤ及び黄色蛍光体で構成された色温度の異なる光源を複数備え、それぞれの光源の光出力の比が制御部１２に調整されることで照明器具３０が出力する光の色温度を変化させて調色する。なお、照明器具３０は、例えば、赤色ＬＥＤ、緑色ＬＥＤ及び青色ＬＥＤで構成された光源を備えてもよく、赤色ＬＥＤ、緑色ＬＥＤ及び青色ＬＥＤの光出力の比が調整されることで照明器具３０が出力する光の色温度を変化させて調色してもよい。また、照明器具３０は、例えば、近紫外ＬＥＤ及びＲＧＢ蛍光体で構成された光源を複数備えてもよく、それぞれの光源の光出力の比が調整されることで照明器具３０が出力する光の色温度を変化させて調色してもよい。つまり、照明器具３０は、色温度を変化させることができる照明器具であればよい。
【００２５】
また、照明器具３０は、明るさセンサ２０の検出結果に応じて明るさが制御される明るさ制御モードと、一定の調光率を維持する一定調光モードとの２つのモードを有している。例えば、照明器具３０は、制御部１２によってスケジュールに応じて明るさ制御モードと一定調光モードとが切り替えられる。
【００２６】
［照明制御装置の動作］
次に、照明制御装置１０の動作について説明する。
【００２７】
図２は、実施の形態に係る照明制御装置１０の動作の一例を示すフローチャートである。
【００２８】
まず、問い合わせ部１１は、複数の明るさセンサ２０に優先順位を対応付ける（ステップＳ１１）。
【００２９】
次に、問い合わせ部１１は、優先順位に従って、複数の明るさセンサ２０に検出結果を問い合わせる（ステップＳ１２）。ステップＳ１１及びステップＳ１２での動作については、後述する図３から図７で、第１例から第５例をあげて詳細に説明する。
【００３０】
そして、制御部１２は、問い合わせ部１１が問い合わせた明るさセンサ２０に紐付けられている照明器具３０の調光率を明るさセンサ２０の検出結果に応じて制御する（ステップＳ１３）。具体的には、上述したように、制御部１２は、問い合わせ部１１が問い合わせた明るさセンサ２０の検出結果が示す明るさが予め定められた明るさとなっていない場合、明るさセンサ２０に紐付けられている照明器具３０に調光指示をし、検出結果が示す明るさが予め定められた明るさとなっている場合、照明器具３０に調光指示をしない。
【００３１】
ここで、照明制御装置１０の動作の第１例から第５例について、図３から図７を用いて説明する。
【００３２】
［照明制御装置の動作の第１例］
まず、照明制御装置１０の動作の第１例について、図３を用いて説明する。
【００３３】
図３の（ａ）は、実施の形態に係る照明制御装置１０の動作の第１例を示すフローチャートである。図３の（ａ）に示されるように、照明制御装置１０の動作の第１例では、図２に示されるステップＳ１１の詳細がステップＳ２１として示され、ステップＳ１２の詳細がステップＳ２２として示されている。また、図３の（ａ）においても図２と同様にステップＳ１３が示されるが、図２におけるものと同じであるため、説明は省略する。以降の図においてもステップＳ１３が示されるが、説明は省略する。
【００３４】
図３の（ｂ）は、第１例における優先順位の対応付け方を説明するための図である。
【００３５】
まず、問い合わせ部１１は、複数の明るさセンサ２０に優先順位として、予め定められた明るさを示す値である目標値と、問い合わせ部１１が前回問い合わせた複数の明るさセンサ２０の検出結果が示す明るさの値である前回値との間の差に応じた優先順位を対応付ける（ステップＳ２１）。
【００３６】
図３の（ｂ）に示されるように、例えば、明るさセンサ２１から明るさセンサ２３の目標値を５００ｌｘとする。目標値は、例えば、照明制御装置１０が備える記憶部（図示せず）に記憶されている。なお、明るさセンサ２１から明るさセンサ２３の目標値は、それぞれ異なる値であってもよい。また、目標値は所定の範囲を有していてもよい。例えば、目標値は５００ｌｘ等の１つの値でなくてもよく、４９０〜５１０ｌｘのような範囲を有していてもよい。後述する図５の（ｂ）では、目標値が所定の範囲を有するときの例が示される。
【００３７】
図３の（ｂ）に示されるように、例えば、明るさセンサ２１の前回値が４９０ｌｘ、明るさセンサ２２の前回値が５４０ｌｘ、明るさセンサ２３の前回値が４５０ｌｘであったとする。問い合わせ部１１は、所定のタイミング毎に複数の明るさセンサ２０に検出結果を問い合わせ、問い合わせた検出結果が示す明るさの値を前回値として例えば照明制御装置１０が備える記憶部（図示せず）に記憶する。
【００３８】
そして、問い合わせ部１１は、複数の明るさセンサ２０に、目標値と前回値との間の差に応じた優先順位を対応付ける。図３の（ｂ）に示されるように、目標値と前回値との間の差は、明るさセンサ２１では１０ｌｘ、明るさセンサ２２では４０ｌｘ、明るさセンサ２３では５０ｌｘとなる。問い合わせ部１１は、目標値と前回値との間の差に応じた優先順位として、目標値と前回値との間の差が大きい明るさセンサ２０ほど高い優先順位を対応付ける。目標値と前回値との間の差とは、例えば、目標値と前回値との間の差分の絶対値のことである。図３の（ｂ）に示される優先順位は、値が小さいほど優先順位が高いことを意味する。つまり、問い合わせ部１１は、目標値と前回値との間の差が大きい明るさセンサ２３に優先順位１を対応付け、明るさセンサ２２に優先順位２、明るさセンサ２１に優先順位３を対応付ける。
【００３９】
次に、問い合わせ部１１は、目標値と前回値との間の差が大きい明るさセンサ２０から優先的に検出結果を問い合わせる（ステップＳ２２）。具体的には、問い合わせ部１１は、目標値と前回値との間の差が大きく、優先順位１を対応付けた明るさセンサ２３から優先的に検出結果を問い合わせる。したがって、問い合わせ部１１が明るさセンサ２３に問い合わせるタイミングは短い間隔となる。そして、制御部１２は、問い合わせ部１１が問い合わせた明るさセンサ２３の検出結果に応じて照明器具３３ａ、３３ｂ、３３ｃの調光率を制御する。例えば、今回問い合わせた明るさセンサ２３の検出結果がまだ目標値よりも小さい明るさの値（例えば４７０ｌｘ）の場合、制御部１２は、照明器具３３ａ、３３ｂ、３３ｃに調光指示をし、調光率を大きくする。次に、問い合わせ部１１は、優先順位２を対応付けた明るさセンサ２２に検出結果を問い合わせ、制御部１２は、明るさセンサ２２の検出結果に応じて照明器具３２ａ、３２ｂ、３２ｃの調光率を制御する。このようにして、問い合わせ部１１は、目標値と前回値との間の差が大きく高い優先順位を対応付けた明るさセンサ２０から優先的に問い合わせていき、制御部１２は、高い優先順位を対応付けられた明るさセンサ２０に紐付けられている照明器具３０の調光率を制御していく。
【００４０】
なお、目標値と前回値との差は、目標値と前回値との差分の絶対値であったが、これに限らない。例えば、目標値と前回値との差は、目標値に対する目標値と前回値との差分の割合の絶対値であってもよい。この場合、目標値と前回値との差は、明るさセンサ２１では２％、明るさセンサ２２では８％、明るさセンサ２３では１０％となる。
【００４１】
［照明制御装置の動作の第２例］
次に、照明制御装置１０の動作の第２例について、図４を用いて説明する。
【００４２】
図４の（ａ）は、実施の形態に係る照明制御装置１０の動作の第２例を示すフローチャートである。図４の（ａ）に示されるように、照明制御装置１０の動作の第２例では、図２に示されるステップＳ１１の詳細がステップＳ３１として示され、ステップＳ１２の詳細がステップＳ３２として示されている。
【００４３】
図４の（ｂ）は、第２例における優先順位の対応付け方を説明するための図である。
【００４４】
まず、問い合わせ部１１は、複数の明るさセンサ２０に優先順位として、問い合わせ部１１が前回問い合わせた複数の明るさセンサ２０の検出結果が示す明るさの値である前回値と予め定められた明るさを示す値である目標値との大小関係に応じた優先順位を対応付ける（ステップＳ３１）。
【００４５】
図４の（ｂ）に示されるように、例えば、明るさセンサ２１から明るさセンサ２３の目標値を５００ｌｘとする。目標値は、例えば、照明制御装置１０が備える記憶部（図示せず）に記憶されている。
【００４６】
図４の（ｂ）に示されるように、例えば、明るさセンサ２１の前回値が４９０ｌｘ、明るさセンサ２２の前回値が５４０ｌｘ、明るさセンサ２３の前回値が４５０ｌｘであったとする。問い合わせ部１１は、所定のタイミング毎に複数の明るさセンサ２０に検出結果を問い合わせ、問い合わせた検出結果が示す明るさの値を前回値として例えば照明制御装置１０が備える記憶部（図示せず）に記憶する。
【００４７】
そして、問い合わせ部１１は、複数の明るさセンサ２０に、前回値と目標値との大小関係に応じた優先順位を対応付ける。図４の（ｂ）に示されるように、前回値の目標値に対する差は、明るさセンサ２１では−１０ｌｘ、明るさセンサ２２では＋４０ｌｘ、明るさセンサ２３では−５０ｌｘとなる。問い合わせ部１１は、前回値と目標値との大小関係に応じた優先順位として、前回値が目標値よりも小さい明るさセンサ２０に高い優先順位を対応付ける。図４の（ｂ）に示される優先順位は、値が小さいほど優先順位が高いことを意味する。つまり、問い合わせ部１１は、前回値が目標値よりも小さい明るさセンサ２１及び明るさセンサ２３に高い優先順位を対応付ける。さらに、問い合わせ部１１は、前回値が目標値よりも小さい明るさセンサ２０のうち目標値と前回値との間の差（絶対値）が大きい明るさセンサ２０ほど高い優先順位を対応付ける。これにより、問い合わせ部１１は、明るさセンサ２３に優先順位１を対応付け、明るさセンサ２１に優先順位２、明るさセンサ２２に優先順位３を対応付ける。
【００４８】
次に、問い合わせ部１１は、前回値が目標値よりも小さい明るさセンサ２０から優先的に検出結果を問い合わせる（ステップＳ３２）。具体的には、問い合わせ部１１は、前回値が目標値よりも小さく、かつ、目標値と前回値との間の差が大きい、優先順位１を対応付けた明るさセンサ２３から優先的に検出結果を問い合わせる。したがって、問い合わせ部１１が明るさセンサ２３に問い合わせるタイミングは短い間隔となる。そして、制御部１２は、問い合わせ部１１が問い合わせた明るさセンサ２３の検出結果に応じて照明器具３３ａ、３３ｂ、３３ｃの調光率を制御する。例えば、今回問い合わせた明るさセンサ２３の検出結果が目標値（５００ｌｘ）となっていた場合、制御部１２は、照明器具３３ａ、３３ｂ、３３ｃに調光指示をせず、調光率を変化させない。次に、問い合わせ部１１は、優先順位２を対応付けた明るさセンサ２１に検出結果を問い合わせ、制御部１２は、明るさセンサ２１の検出結果に応じて照明器具３１ａ、３１ｂ、３１ｃの調光率を制御する。このようにして、問い合わせ部１１は、前回値が目標値よりも小さく高い優先順位を対応付けた明るさセンサ２０から優先的に問い合わせていき、制御部１２は、高い優先順位を対応付けられた明るさセンサ２０に紐付けられている照明器具３０の調光率を制御していく。
【００４９】
なお、第１例及び第２例では、前回値を用いて優先順位を複数の明るさセンサ２０に対応付けたが、初回起動時等で前回値が記憶されていない場合には、問い合わせ部１１は、優先順位を対応付けないで複数の明るさセンサ２０に問い合わせていく。そして、問い合わせ部１１が複数の明るさセンサ２０の全てに問い合わせることで、複数の明るさセンサ２０それぞれが検出した検出結果の前回値が記憶されるため、問い合わせ部１１は、前回値を用いて優先順位を複数の明るさセンサ２０に対応付けることができる。
【００５０】
また、問い合わせ部１１は、明るさセンサ２０に対応付けた優先順位の順番で問い合わせていったが、これに限らない。例えば、問い合わせ部１１は、優先順位の高い明るさセンサ２０に問い合わせる頻度を多くしてもよい。ここで、優先順位の高い明るさセンサ２０に問い合わせる頻度を多くする場合について、第１例を用いて具体的に説明する。
【００５１】
問い合わせ部１１は、まず、目標値と前回値との間の差が５０ｌｘの明るさセンサ２３に問い合わせ、問い合わせた検出結果が例えば４７０ｌｘだったとする。このとき、明るさセンサ２３の前回値は４７０ｌｘに更新され、目標値と前回値との間の差が３０ｌｘになる。次に、問い合わせ部１１は、目標値と前回値との間の差が４０ｌｘと、現状最も差が大きくなった明るさセンサ２２に問い合わせ、問い合わせた検出結果が例えば５２０ｌｘだったとする。このとき、明るさセンサ２２の前回値は５２０ｌｘに更新され、目標値と前回値との間の差が２０ｌｘになる。そして、問い合わせ部１１は、目標値と前回値との間の差が３０ｌｘと、現状最も差が大きくなった明るさセンサ２３に問い合わせる。
【００５２】
このように、優先順位の高い明るさセンサ２０の問い合わせる頻度を多くしてもよい。ただし、優先順位の高い明るさセンサ２０に問い合わせる頻度を多くする場合、優先順位の低い明るさセンサ２０はいつまでも問い合わせられないことが発生し得る。したがって、問い合わせ部１１は、所定の時間（例えば５分間等）毎に複数の明るさセンサ２０の全てに問い合わせてもよい。
【００５３】
［照明制御装置の動作の第３例］
次に、照明制御装置１０の動作の第３例について、図５を用いて説明する。
【００５４】
図５の（ａ）は、実施の形態に係る照明制御装置１０の動作の第３例を示すフローチャートである。図５の（ａ）に示されるように、照明制御装置１０の動作の第３例では、図２に示されるステップＳ１１の詳細がステップＳ４１として示され、ステップＳ１２の詳細がステップＳ４２として示されている。
【００５５】
図５の（ｂ）は、第３例における優先順位の対応付け方を説明するための図である。
【００５６】
まず、問い合わせ部１１は、複数の明るさセンサ２０に優先順位として、照明器具３０に制御部１２が前回調光指示をしたか否かに応じた優先順位を対応付ける（ステップＳ４１）。
【００５７】
図５の（ｂ）に示されるように、例えば、明るさセンサ２１から明るさセンサ２３の目標値を４９０ｌｘから５１０ｌｘとする。上述したように、目標値は所定の範囲を有していてもよく、ここでは、５００ｌｘから上下１０ｌｘの範囲を目標値としている。目標値は、例えば、照明制御装置１０が備える記憶部（図示せず）に記憶されている。
【００５８】
また、図５の（ｂ）に示されるように、例えば、明るさセンサ２１の前回値が４９０ｌｘ、明るさセンサ２２の前回値が５２０ｌｘ、明るさセンサ２３の前回値が４７０ｌｘであったとする。問い合わせ部１１は、所定のタイミング毎に複数の明るさセンサ２０に検出結果を問い合わせ、問い合わせた検出結果が示す明るさの値を前回値として例えば照明制御装置１０が備える記憶部（図示せず）に記憶する。
【００５９】
そして、問い合わせ部１１は、複数の明るさセンサ２０に、照明器具３０に制御部１２が前回調光指示をしたか否かに応じた優先順位を対応付ける。問い合わせ部１１が明るさセンサ２１に前回問い合わせたときには、明るさセンサ２１の検出結果は４９０ｌｘと目標値になっていたため、制御部１２は、照明器具３１ａ、３１ｂ、３１ｃに調光指示をしていない。一方、問い合わせ部１１が明るさセンサ２２に前回問い合わせたときには、明るさセンサ２２の検出結果は５２０ｌｘと目標値になっていなかったため、制御部１２は、照明器具３２ａ、３２ｂ、３２ｃに調光指示をしている。同様に、問い合わせ部１１が明るさセンサ２３に前回問い合わせたときには、明るさセンサ２３の検出結果は４７０ｌｘと目標値になっていなかったため、制御部１２は、照明器具３３ａ、３３ｂ、３３ｃに調光指示をしている。
【００６０】
問い合わせ部１１は、照明器具３０に制御部１２が前回調光指示をしたか否かに応じた優先順位として、制御部１２が前回調光指示をした照明器具３０に紐付けられている明るさセンサ２０に高い優先順位を対応付ける。図５の（ｂ）に示される優先順位は、値が小さいほど優先順位が高いことを意味する。つまり、問い合わせ部１１は、制御部１２が前回調光指示をした照明器具３２ａ、３２ｂ、３２ｃに紐付けられている明るさセンサ２２、及び、照明器具３３ａ、３３ｂ、３３ｃに紐付けられている明るさセンサ２３に高い優先順位を対応付ける。さらに、問い合わせ部１１は、制御部１２が前回調光指示をした照明器具３０に紐付けられている明るさセンサ２０のうち目標値と前回値との間の差（絶対値）が大きい明るさセンサ２０ほど高い優先順位を対応付ける。これにより、問い合わせ部１１は、明るさセンサ２３に優先順位１を対応付け、明るさセンサ２２に優先順位２を対応付ける。明るさセンサ２１の検出結果はすでに目標値になっており、明るさセンサ２１に紐付けられている照明器具３１ａ、３１ｂ、３１ｃは調光指示がされていないため、問い合わせ部１１は、明るさセンサ２１には優先順位を対応付けず、所定の時間問い合わせない。ただし、問い合わせ部１１は、いつまでも明るさセンサ２１が問い合わせられないことを抑制するために、所定の時間（例えば５分間等）毎に明るさセンサ２１に検出結果を問い合わせる。
【００６１】
次に、問い合わせ部１１は、制御部１２が前回調光指示をした照明器具３０に紐付けられている明るさセンサ２０から優先的に検出結果を問い合わせる（ステップＳ４２）。具体的には、問い合わせ部１１は、制御部１２が前回調光指示をした照明器具３０に紐付けられており、かつ、目標値と前回値との間の差が大きい、優先順位１を対応付けた明るさセンサ２３から優先的に検出結果を問い合わせる。したがって、問い合わせ部１１が明るさセンサ２３に問い合わせるタイミングは短い間隔となる。そして、制御部１２は、問い合わせ部１１が問い合わせた明るさセンサ２３の検出結果に応じて照明器具３３ａ、３３ｂ、３３ｃの調光率を制御する。例えば、今回問い合わせた明るさセンサ２３の検出結果がまだ目標値よりも小さい明るさの値（例えば４８０ｌｘ）の場合、制御部１２は、照明器具３３ａ、３３ｂ、３３ｃに調光指示をし、調光率を大きくする。したがって、問い合わせ部１１は次回も明るさセンサ２３に問い合わせることになる。次に、問い合わせ部１１は、優先順位２を対応付けた明るさセンサ２２に検出結果を問い合わせ、制御部１２は、明るさセンサ２２の検出結果に応じて照明器具３２ａ、３２ｂ、３２ｃの調光率を制御する。例えば、今回問い合わせた明るさセンサ２２の検出結果が目標値（５１０ｌｘ）となっていた場合、制御部１２は、照明器具３２ａ、３２ｂ、３２ｃに調光指示をせず、調光率を変化させない。したがって、問い合わせ部１１は次回明るさセンサ２２には問い合わせないことになる。このようにして、問い合わせ部１１は、制御部１２が前回調光指示をした照明器具３０に紐付けられている明るさセンサ２０から優先的に問い合わせていき、制御部１２は、高い優先順位を対応付けられた明るさセンサ２０に紐付けられている照明器具３０の調光率を制御していく。
【００６２】
なお、照明器具３０は、調光率をフェードさせて変化させる機能を有していてもよく、この場合、制御部１２が照明器具３０に調光指示をした場合、照明器具３０は所定のフェード時間を掛けて調光率を変化させていく。したがって、問い合わせ部１１は、制御部１２が前回調光指示をした照明器具３０に紐付けられている明るさセンサ２０であっても、フェード時間中の照明器具３０に紐付けられている明るさセンサ２０に問い合わせなくてもよく、例えば次に優先順位の高い明るさセンサ２０等に問い合わせてもよい。
【００６３】
［照明制御装置の動作の第４例］
次に、照明制御装置１０の動作の第４例について、図６を用いて説明する。
【００６４】
図６の（ａ）は、実施の形態に係る照明制御装置１０の動作の第４例を示すフローチャートである。図６の（ａ）に示されるように、照明制御装置１０の動作の第４例では、図２に示されるステップＳ１１の詳細がステップＳ５１として示され、ステップＳ１２の詳細がステップＳ５２として示されている。
【００６５】
図６の（ｂ）は、実施の形態に係る明るさセンサ２０に紐付けられている照明器具３０のモード変更の一例を示す図である。例えば、各明るさセンサ２０に紐付けられている照明器具３０は、図６の（ｂ）に示されるスケジュールで、明るさ制御モードと一定調光モードとが切り替えられる。現在時刻を図６の（ｂ）の太線で示される時刻とする。このとき、明るさセンサ２１に紐付けられている照明器具３１ａ、３１ｂ、３１ｃは、一定調光モードとなっている。また、明るさセンサ２２に紐付けられている照明器具３２ａ、３２ｂ、３２ｃは、明るさ制御モードとなっている。明るさセンサ２３に紐付けられている照明器具３３ａ、３３ｂ、３３ｃは、明るさ制御モードとなっており、一定調光モードから明るさ制御モードに変更された直後の状態にある。
【００６６】
図６の（ｃ）は、第４例における優先順位の対応付け方を説明するための図である。
【００６７】
まず、問い合わせ部１１は、複数の明るさセンサ２０に優先順位として、照明器具３０の現在のモードに応じた優先順位を対応付ける（ステップＳ５１）。図６の（ｂ）及び図６の（ｃ）に示されるように、例えば、明るさセンサ２１は一定調光モードであり、明るさセンサ２２及び明るさセンサ２３は、明るさ制御モードである。問い合わせ部１１は、照明器具３０の現在のモードに応じた優先順位として、明るさ制御モードである照明器具３０に紐付けられている明るさセンサ２０に高い優先順位を対応付ける。図６の（ｂ）に示される優先順位は、値が小さいほど優先順位が高いことを意味する。つまり、問い合わせ部１１は、明るさ制御モードである照明器具３２ａ、３２ｂ、３２ｃに紐付けられている明るさセンサ２２、及び、照明器具３３ａ、３３ｂ、３３ｃに紐付けられている明るさセンサ２３に高い優先順位を対応付ける。さらに、問い合わせ部１１は、明るさ制御モードである照明器具３０に紐付けられている明るさセンサ２０のうち一定調光モードから明るさ制御モードに変更された直後の照明器具３０に紐付けられている明るさセンサ２０ほど高い優先順位を対応付ける。これにより、問い合わせ部１１は、明るさセンサ２３に優先順位１を対応付け、明るさセンサ２２に優先順位２を対応付ける。明るさセンサ２１に紐付けられている照明器具３１ａ、３１ｂ、３１ｃは一定調光モードであるため、問い合わせ部１１は、明るさセンサ２１には優先順位を対応付けず、所定の時間問い合わせない。ただし、照明器具３１ａ、３１ｂ、３１ｃが一定調光モードであっても、問い合わせ部１１は、所定の時間（例えば５分間等）毎に明るさセンサ２１に検出結果を問い合わせる。これにより、照明器具３１ａ、３１ｂ、３１ｃの照明領域の明るさが検出され、照明器具３１ａ、３１ｂ、３１ｃの照明領域の明るさを例えば端末装置（図示せず）等を介してユーザに知らせることができる。
【００６８】
次に、問い合わせ部１１は、明るさ制御モードである照明器具３０に紐付けられている明るさセンサ２０から優先的に検出結果を問い合わせる（ステップＳ５２）。具体的には、問い合わせ部１１は、明るさ制御モードである照明器具３０に紐付けられている明るさセンサ２０のうち一定調光モードから明るさ制御モードに変更された直後の照明器具３０に紐付けられている明るさセンサ２０から優先的に検出結果を問い合わせる。したがって、問い合わせ部１１が明るさセンサ２３に問い合わせるタイミングは短い間隔となる。そして、制御部１２は、問い合わせ部１１が問い合わせた明るさセンサ２３の検出結果に応じて照明器具３３ａ、３３ｂ、３３ｃの調光率を制御する。次に、問い合わせ部１１は、優先順位２を対応付けた明るさセンサ２２に検出結果を問い合わせ、制御部１２は、明るさセンサ２２の検出結果に応じて照明器具３２ａ、３２ｂ、３２ｃの調光率を制御する。このようにして、問い合わせ部１１は、明るさ制御モードである照明器具３０に紐付けられている明るさセンサ２０から優先的に問い合わせていく。具体的には、問い合わせ部１１は、明るさ制御モードである照明器具３０に紐付けられている明るさセンサ２０のうち、一定調光モードから明るさ制御モードに変更された直後の照明器具３０に紐付けられている明るさセンサ２０から優先的に検出結果を問い合わせていく。そして、制御部１２は、高い優先順位を対応付けられた明るさセンサ２０に紐付けられている照明器具３０の調光率を制御していく。
【００６９】
［照明制御装置の動作の第５例］
次に、照明制御装置１０の動作の第５例について、図７を用いて説明する。
【００７０】
図７の（ａ）は、実施の形態に係る照明制御装置１０の動作の第５例を示すフローチャートである。図７の（ａ）に示されるように、照明制御装置１０の動作の第５例では、図２に示されるステップＳ１１の詳細がステップＳ６１として示され、ステップＳ１２の詳細がステップＳ６２として示されている。
【００７１】
図７の（ｂ）は、第５例における優先順位の対応付け方を説明するための図である。
【００７２】
まず、問い合わせ部１１は、複数の明るさセンサ２０に優先順位として、照明器具３０の色温度に応じた優先順位を対応付ける（ステップＳ６１）。
【００７３】
図７の（ｂ）に示されるように、例えば、明るさセンサ２１の色温度が３０００Ｋ、明るさセンサ２２の色温度が５０００Ｋ、明るさセンサ２３の色温度が４０００Ｋであったとする。問い合わせ部１１は、照明器具３０の色温度に応じた優先順位として、色温度の低い照明器具３０に紐付けられている明るさセンサ２０ほど高い優先順位を対応付ける。図７の（ｂ）に示される優先順位は、値が小さいほど優先順位が高いことを意味する。つまり、問い合わせ部１１は、色温度の低い照明器具３１ａ、３１ｂ、３１ｃに紐付けられている明るさセンサ２１に優先順位１を対応付け、明るさセンサ２３に優先順位２、明るさセンサ２２に優先順位３を対応付ける。なお、図示していないが、各明るさセンサ２０が検出した前回値は、目標値よりも低いとする。
【００７４】
次に、問い合わせ部１１は、色温度の低い照明器具３０に紐付けられている明るさセンサ２０から優先的に検出結果を問い合わせる（ステップＳ６２）。具体的には、問い合わせ部１１は、色温度が最も低い照明器具３１ａ、３１ｂ、３１ｃに紐付けられ、優先順位１を対応付けた明るさセンサ２１から優先的に検出結果を問い合わせる。したがって、問い合わせ部１１が明るさセンサ２１に問い合わせるタイミングは短い間隔となる。そして、制御部１２は、問い合わせ部１１が問い合わせた明るさセンサ２３の検出結果に応じて照明器具３３ａ、３３ｂ、３３ｃの調光率を制御する。次に、問い合わせ部１１は、優先順位２を対応付けた明るさセンサ２３に検出結果を問い合わせ、制御部１２は、明るさセンサ２３の検出結果に応じて照明器具３３ａ、３３ｂ、３３ｃの調光率を制御する。このようにして、問い合わせ部１１は、色温度の低い照明器具３０に紐付けられ高い優先順位を対応付けた明るさセンサ２０から優先的に問い合わせていき、制御部１２は、高い優先順位を対応付けられた明るさセンサ２０に紐付けられている照明器具３０の調光率を制御していく。
【００７５】
以上のように、問い合わせ部１１は、第１例から第５例に示される優先順位に従って、複数の明るさセンサ２０に検出結果を問い合わせ、高い優先順位を対応付けた明るさセンサ２０から優先的に検出結果を問い合わせる。
【００７６】
［効果等］
１つの照明制御装置で複数（例えば１００個等）の明るさセンサのそれぞれに現在の明るさを問い合わせ、複数の明るさセンサのそれぞれに紐付けられている照明器具を制御させるという状況が考えられる。この場合、照明制御装置は、複数の明るさセンサに順番に明るさを問い合わせていくため、所望の照明器具の調光率を変更するのに時間が掛かってしまっていた。
【００７７】
そこで、本実施の形態に係る照明制御装置１０は、複数の明るさセンサ２０が検出する検出結果が示す明るさが予め定められた明るさとなるように複数の明るさセンサ２０に紐付けられている照明器具３０の調光率を制御する照明制御装置である。照明制御装置１０は、複数の明るさセンサ２０のそれぞれに対して定期的に検出結果を問い合わせる問い合わせ部１１と、問い合わせ部１１が問い合わせた明るさセンサ２０に紐付けられている照明器具３０の調光率を明るさセンサ２０の検出結果に応じて制御する制御部１２と、を備える。問い合わせ部１１は、複数の明るさセンサ２０に優先順位を対応付け、優先順位に従って、複数の明るさセンサ２０に検出結果を問い合わせる。
【００７８】
また、本実施の形態に係る照明システム１は、照明制御装置１０と、複数の明るさセンサ２０と、照明器具３０と、を備える。
【００７９】
これにより、早く明るさを変更したい照明器具３０に紐付けられている明るさセンサ２０に対して、早く問い合わせられるように優先順位が対応付けられるため、所望の照明器具３０の調光率を早く変更できる。
【００８０】
また、問い合わせ部１１は、複数の明るさセンサ２０に優先順位として、予め定められた明るさを示す値である目標値と、問い合わせ部１１が前回問い合わせた複数の明るさセンサ２０の検出結果が示す明るさの値である前回値との間の差に応じた優先順位を対応付ける。そして、問い合わせ部１１は、目標値と前回値との差が大きい明るさセンサ２０から優先的に検出結果を問い合わせる。
【００８１】
これにより、明るさが目標とする明るさから離れている（明る過ぎる又は暗過ぎる）照明領域を照明している照明器具３０に紐付けられている明るさセンサ２０から優先的に問い合わせられる。したがって、所望の照明器具３０として、明るさが目標とする明るさから離れている照明領域を照明している照明器具３０の調光率を早く変更できる。
【００８２】
また、問い合わせ部１１は、複数の明るさセンサ２０に優先順位として、問い合わせ部１１が前回問い合わせた複数の明るさセンサ２０の検出結果が示す明るさの値である前回値と予め定められた明るさを示す値である目標値との大小関係に応じた優先順位を対応付ける。そして、問い合わせ部１１は、前回値が目標値よりも小さい明るさセンサ２０から優先的に検出結果を問い合わせる。
【００８３】
一般的に明るさが明る過ぎるときよりも暗過ぎるときのほうが作業等をする場合に支障を来すことが多い。したがって、明るさが目標とする明るさよりも暗い照明領域を照明している照明器具３０に紐付けられている明るさセンサ２０から優先的に問い合わせられる。これにより、所望の照明器具３０として、明るさが目標とする明るさよりも暗い照明領域を照明している照明器具３０の調光率を早く大きくすることができる。
【００８４】
また、制御部１２は、問い合わせ部１１が問い合わせた明るさセンサ２０の検出結果が示す明るさが予め定められた明るさとなっていない場合、明るさセンサ２０に紐付けられている照明器具３０に調光指示をする。問い合わせ部１１は、複数の明るさセンサ２０に優先順位として、照明器具３０に制御部１２が前回調光指示をしたか否かに応じた優先順位を対応付ける。そして、問い合わせ部１１は、制御部１２が前回光指示をした照明器具３０に紐付けられている明るさセンサ２０から優先的に検出結果を問い合わせる。
【００８５】
これにより、照明している照明領域の明るさが目標とする明るさとなっておらず調光指示がされた照明器具３０に紐付けられている明るさセンサ２０から優先的に問い合わせられる。したがって、所望の照明器具３０として、照明している照明領域の明るさが目標とする明るさとなっていない照明器具３０の調光率を早く変更できる。
【００８６】
また、照明器具３０は、明るさセンサ２０の検出結果に応じて明るさが制御される明るさ制御モードと、一定の調光率を維持する一定調光モードとの２つのモードを有する。問い合わせ部１１は、複数の明るさセンサ２０に優先順位として、照明器具３０の現在のモードに応じた優先順位を対応付け、明るさ制御モードである照明器具３０に紐付けられている明るさセンサ２０から優先的に検出結果を問い合わせる。
【００８７】
これにより、明るさセンサ２０の検出結果によって明るさを制御する必要のある明るさ制御モードの照明器具３０に紐付けられている明るさセンサ２０から優先的に問い合わせられる。したがって、所望の照明器具３０として、明るさ制御モードである照明器具３０の調光率を早く変更できる。
【００８８】
また、制御部１２は、さらに、照明器具３０の色温度を制御する。問い合わせ部１１は、複数の明るさセンサ２０に優先順位として、照明器具３０の色温度に応じた優先順位を対応付け、色温度の低い照明器具３０に紐付けられている明るさセンサ２０から優先的に検出結果を問い合わせる。
【００８９】
一般的に、色温度が高い昼光色よりも色温度が低い電球色のほうが人は明るさを暗く感じやすい。したがって、色温度の低い照明器具３０に紐付けられている明るさセンサ２０から優先的に問い合わせられる。これにより、所望の照明器具３０として、色温度の低い照明器具３０の調光率を早く大きくすることができる。
【００９０】
（その他の実施の形態）
以上、実施の形態に係る照明制御装置１０及び照明システム１について説明したが、本発明は、上記実施の形態に限定されるものではない。
【００９１】
例えば、上記実施の形態では、第１例から第５例のそれぞれの場合について、複数の明るさセンサ２０に優先順位が対応付けられたが、これに限らない。例えば、複数の明るさセンサ２０に第１例から第５例が組み合わせられた優先順位が対応付けられてもよい。例えば、第１例から第５例で示される優先順位の間でもさらなる優先順位があってもよい。
【００９２】
具体的には、例えば、第４例で示される明るさ制御モードである照明器具３０に紐付けられている明るさセンサ２０の優先順位を高くする。そして、第４例での優先順位の中でも第３例で示される制御部１２が前回調光指示をした照明器具３０に紐付けられている明るさセンサ２０の優先順位を高くする。そして、第４例及び第３例での優先順位の中でも第２例で示される前回値が目標値よりも小さい明るさセンサ２０の優先順位を高くする。そして、第４例、第３例及び第２例での優先順位の中でも第１例で示される前回値と目標値との間の差が大きい明るさセンサ２０の優先順位を高くする。そして、第４例、第３例、第２例及び第１例での優先順位の中でも第５例で示される色温度の低い照明器具３０に紐付けられている明るさセンサ２０の優先順位を高くする。
【００９３】
なお、上述した第１例から第５例で示される優先順位の間でのさらなる優先順位の対応付け方は一例であり、問い合わせ部１１は、ユーザが決めた所望の優先順位で明るさセンサ２０に問い合わせてよい。
【００９４】
なお、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００９５】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９６】
１  照明システム
１０  照明制御装置
１１  問い合わせ部
１２  制御部
２０、２１、２２、２３  明るさセンサ
３０、３１ａ、３１ｂ、３１ｃ、３２ａ、３２ｂ、３２ｃ、３３ａ、３３ｂ、３３ｃ  照明器具
【図１】
0006617521.tif 000002
【図２】
0006617521.tif 000003
【図３】
0006617521.tif 000004
【図４】
0006617521.tif 000005
【図５】
0006617521.tif 000006
【図６】
0006617521.tif 000007
【図７】
0006617521.tif 000008